(57)【要約】【課題】画像形成装置（複写機もしくは複合機）や画像読取り装置等の外部装置に格別の機能を設けなくても、画面の表示内容の複写禁止等を行うことが可能な携帯型電子装置を提供する。【解決手段】表示データによって示される表示内容が液晶表示部３の画面３ａに表示されている状態で、表示データと共に読取りもしくは複写の禁止を示す制御データがメモリ４に記憶されている場合は、各センサ７〜１２の検出信号の監視を継続的に行って、各センサ７〜１２の検出信号に基づき画像形成装置（複写機もしくは複合機）や画像読取り装置等の外部装置による読取り動作が行われているか否かを判定し、読取り動作が行われていると判定したときに、液晶表示部３の画面３ａに表示されている表示内容を規制している。このため、外部装置に格別の機能を設けなくても、外部装置による画面の表示内容の読取りや複写等を規制することができる。【選択図】図１
2012150225.tif 000002
【特許請求の範囲】
【請求項１】
表示内容を画面に表示する表示部と、前記表示部を制御する制御部とを備えた携帯型電子装置であって、
外部装置による前記画面上の表示内容の読取り動作を検出する読取り動作検出部を備え、
前記制御部は、前記読取り動作検出部により前記外部装置の読取り動作が検出されると、前記表示部の画面に表示されている表示内容を規制することを特徴とする携帯型電子装置。
【請求項２】
請求項１に記載の携帯型電子装置であって、
前記読取り動作検出部は、前記外部装置からの電磁波ノイズのレベルを検出し、
前記制御部は、前記読取り動作検出部により検出された電磁波ノイズのレベルが予め設定されたノイズ閾値以上になると、前記表示部の画面に表示されている表示内容を規制することを特徴とする携帯型電子装置。
【請求項３】
請求項１又は２に記載の携帯型電子装置であって、
前記読取り動作検出部は、前記外部装置からの機械的な振動のレベルを検出し、
前記制御部は、前記読取り動作検出部により検出された機械的な振動のレベルが予め設定された振動閾値以上になると、前記表示部の画面に表示されている表示内容を規制することを特徴とする携帯型電子装置。
【請求項４】
請求項１〜３のいずれか１つに記載の携帯型電子装置であって、
前記読取り動作検出部は、前記外部装置からの入射光のレベルを検出し、
前記制御部は、前記読取り動作検出部により検出された入射光のレベルが予め設定された光閾値以上になると、前記表示部の画面に表示されている表示内容を規制することを特徴とする携帯型電子装置。
【請求項５】
請求項１〜４のいずれか１つに記載の携帯型電子装置であって、
前記読取り動作検出部は、前記外部装置で加えられた圧力のレベルを検出し、
前記制御部は、前記読取り動作検出部により検出された圧力のレベルが予め設定された圧力閾値以上になると、前記表示部の画面に表示されている表示内容を規制することを特徴とする携帯型電子装置。
【請求項６】
請求項１〜５のいずれか１つに記載の携帯型電子装置であって、
前記読取り動作検出部は、前記外部装置による読取り動作が行われるときに設定される前記携帯型電子装置の動作モードを検出し、
前記制御部は、前記読取り動作検出部により前記動作モードが検出されると、前記表示部の画面に表示されている表示内容を規制することを特徴とする携帯型電子装置。
【請求項７】
請求項１〜６のいずれか１つに記載の携帯型電子装置であって、
前記表示部の画面が下方に向けられたか否かを検出する画面方向検出部を備え、
前記制御部は、前記読取り動作検出部により前記外部装置の読取り動作が検出され、かつ前記画面方向検出部により前記表示部の画面が下方に向けられたことが検出されると、前記表示部の画面に表示されている表示内容を規制することを特徴とする携帯型電子装置。
【請求項８】
請求項１〜７のいずれか１つに記載の携帯型電子装置であって、
前記制御部は、前記表示部の画面に予め設定された文字、記号、もしくは符号を表示することにより前記画面に表示されている表示内容の規制を行うことを特徴とする携帯型電子装置。
【請求項９】
請求項１〜８のいずれか１つに記載の携帯型電子装置であって、
前記制御部は、前記表示部の画面に表示されている表示内容を消去するか、又は前記表示内容の解像度を低下させることにより前記画面に表示されている表示内容の規制を行うことを特徴とする携帯型電子装置。
【請求項１０】
請求項１〜９のいずれか１つに記載の携帯型電子装置であって、
前記制御部は、前記表示部の画面に表示されている表示内容を頁単位で規制することを特徴とする携帯型電子装置。
【請求項１１】
請求項１〜１０に記載の携帯型電子装置であって、
前記制御部は、前記表示部の画面に表示されている表示内容の一部を規制することを特徴とする携帯型電子装置。
【発明の詳細な説明】
【技術分野】
【０００１】
本発明は、携帯情報端末、携帯電話機、電子辞書、電子ペーパ等の携帯型電子装置に関する。
【背景技術】
【０００２】
この種の携帯型電子装置においては、例えば文字や図形等を入力して、テキスト等のコンテンツを作成したり、コンテンツをメモリから読み出して、これらのコンテンツを画面に表示することができる。また、複写機を用いることにより、携帯型電子装置の画面に表示されている表示内容を複写することが可能である。
【０００３】
例えば、特許文献１では、複写機が電子ブック端末（携帯型電子装置）に対して頁要求を通知すると、電子ブック端末が画面に表示されている表示内容を更新して、複写機に対して表示内容の更新完了を通知し、これに応答して複写機が電子ブック端末の表示内容を読取って複写しており、この一連の動作を繰返して、複写機が電子ブック端末の画面に順次表示される複数頁の表示内容を逐次読取って複写するようにしている。
【０００４】
また、表示内容が個人情報や社外秘である場合は、表示内容の複写を禁止することが好ましく、このために携帯型電子装置の画面に表示される表示内容の複写を禁止するための技術が提案されている。
【０００５】
例えば、特許文献２では、複写機が電子ペーパに内蔵のＩＣから情報を読取り、情報によって複写許可が示されている場合に、電子ペーパに表示されている表示内容を複写し、また情報によって複写禁止が示されている場合に、電子ペーパに表示されている表示内容の複写を行わないようにしている。
【先行技術文献】
【特許文献】
【０００６】
【特許文献１】特開２００６−２５４２２４号公報
【特許文献２】特開２００５−１２７０１号公報
【発明の概要】
【発明が解決しようとする課題】
【０００７】
しかしながら、上記特許文献２では、電子ペーパに内蔵のＩＣに複写の許可又は禁止を示す情報を書き込んで、複写機で電子ペーパのＩＣからその情報を読取ることから、ＩＣを電子ペーパに内蔵し、かつＩＣの情報を読取る機能を複写機に設けておく必要があり、電子ペーパ側のＩＣ及び複写機側の情報を読取る機能のいずれか一方が欠けても、複写の許可及び禁止を適確に実施することができない。従って、電子ペーパ（携帯型電子装置）及び複写機が特定され、利用状況が限られてしまう。
【０００８】
そこで、本発明は、上記課題を解決するためになされたものであり、画像形成装置（複写機もしくは複合機）や画像読取り装置等の外部装置に格別の機能を設けなくても、画面の表示内容の複写禁止等を行うことが可能な携帯型電子装置を提供することを目的とする。
【課題を解決するための手段】
【０００９】
上記課題を解決するために、本発明は、表示内容を画面に表示する表示部と、前記表示部を制御する制御部とを備えた携帯型電子装置であって、外部装置による前記画面上の表示内容の読取り動作を検出する読取り動作検出部を備え、前記制御部は、前記読取り動作検出部により前記外部装置の読取り動作が検出されると、前記表示部の画面に表示されている表示内容を規制している。
【００１０】
このような本発明の携帯型電子装置では、読取り動作検出部により外部装置の読取り動作が検出されると、制御部により表示部の画面に表示されている表示内容が規制される。すなわち、携帯型電子装置では、外部装置の読取り動作を検出して、画面の表示内容を規制する。従って、画像形成装置（複写機もしくは複合機）や画像読取り装置等の外部装置に格別の機能を設けなくても、画面の表示内容の複写禁止等を行うことができる。
【００１１】
尚、携帯型電子装置としては、携帯情報端末、携帯電話機、電子辞書、電子ペーパ等があり、画面を有する表示部と、この画面に表示されている表示内容を制御する制御部とを備える構成であれば、如何なる種類の装置であってもよい。
【００１２】
また、本発明の携帯型電子装置においては、前記読取り動作検出部は、前記外部装置からの電磁波ノイズのレベルを検出し、前記制御部は、前記読取り動作検出部により検出された電磁波ノイズのレベルが予め設定されたノイズ閾値以上になると、前記表示部の画面に表示されている表示内容を規制している。
【００１３】
例えば、画像形成装置（複写機もしくは複合機）や画像読取り装置等の外部装置による読取り動作が行われているときには、インバータの出力を光源に加えて、光源を発光させ、読取り対象を照明することから、インバータから高レベルの電磁波ノイズが発生する。このため、読取り動作検出部により電磁波ノイズのレベルを検出し、この検出した電磁波ノイズのレベルがノイズ閾値以上になったときに、外部装置の読取り動作が行われているとみなして、表示部の画面に表示されている表示内容を規制している。
【００１４】
更に、本発明の携帯型電子装置においては、前記読取り動作検出部は、前記外部装置からの機械的な振動のレベルを検出し、前記制御部は、前記読取り動作検出部により検出された機械的な振動のレベルが予め設定された振動閾値以上になると、前記表示部の画面に表示されている表示内容を規制している。
【００１５】
例えば、携帯型電子装置が電子ペーパである場合は、複数の電子ペーパを重ねたりあるいは電子ペーパを一般的な原稿と共に重ねて画像形成装置（複写機もしは複合機）や画像読取り装置等の外部装置にセットし、電子ペーパもしくは原稿を順次引出して搬送しつつ読取ることができ、このときには電子ペーパや原稿を引出して搬送するための搬送機構、例えば搬送ローラ、モータ、ギアユニット等から機械的な振動が発生し、この機械的な振動が電子ペーパに伝達される。このため、読取り動作検出部により機械的な振動のレベルを検出し、この検出した機械的な振動のレベルが振動閾値以上になったときに、外部装置の読取り動作が行われているとみなして、表示部の画面に表示されている表示内容を規制している。
【００１６】
また、本発明の携帯型電子装置においては、前記読取り動作検出部は、前記外部装置からの入射光のレベルを検出し、前記制御部は、前記読取り動作検出部により検出された入射光のレベルが予め設定された光閾値以上になると、前記表示部の画面に表示されている表示内容を規制している。
【００１７】
例えば、画像形成装置（複写機もしくは複合機）や画像読取り装置等の外部装置による読取り動作が行われているときには、光源を発光させ、読取り対象を照明することから、光源の高レベルの光が携帯型電子装置に入射する。このため、読取り動作検出部により入射光のレベルを検出し、この検出した入射光のレベルが光閾値以上になったときに、外部装置の読取り動作が行われているとみなして、表示部の画面に表示されている表示内容を規制する。
【００１８】
更に、本発明の携帯型電子装置においては、前記読取り動作検出部は、前記外部装置で加えられた圧力のレベルを検出し、前記制御部は、前記読取り動作検出部により検出された圧力のレベルが予め設定された圧力閾値以上になると、前記表示部の画面に表示されている表示内容を規制している。
【００１９】
例えば、携帯型電子装置が電子ペーパである場合は、電子ペーパを画像形成装置（複写機もしくは複合機）や画像読取り装置等の外部装置のプラテンガラス上にセットし、外部装置のカバーを閉じて、プラテンガラスとカバーの間に電子ペーパを挟み込んで、電子ペーパを読取ることができ、このときには電子ペーパに圧力が加わる。このため、読取り動作検出部により圧力のレベルを検出し、この検出した圧力のレベルが圧力閾値以上になったときに、外部装置の読取り動作が行われているとみなして、表示部の画面に表示されている表示内容を規制している。
【００２０】
また、本発明の携帯型電子装置においては、前記読取り動作検出部は、前記外部装置による読取り動作が行われるときに設定される前記携帯型電子装置の動作モードを検出し、前記制御部は、前記読取り動作検出部により前記動作モードが検出されると、前記表示部の画面に表示されている表示内容を規制している。
【００２１】
このように外部装置による読取り動作が行われるときに設定される携帯型電子装置の動作モードを検出して、表示部の画面に表示されている表示内容を規制してもよい。
【００２２】
更に、本発明の携帯型電子装置においては、前記表示部の画面が下方に向けられたか否かを検出する画面方向検出部を備え、前記制御部は、前記読取り動作検出部により前記外部装置の読取り動作が検出され、かつ前記画面方向検出部により前記表示部の画面が下方に向けられたことが検出されると、前記表示部の画面に表示されている表示内容を規制している。
【００２３】
画像形成装置（複写機もしくは複合機）や画像読取り装置等の外部装置においては、読取り対象の読取り面を下方に向けた状態で読取り動作を行うことが多く、よって読取り対象となる携帯型電子装置の画面を下方に向ける必用がある。このため、読取り動作検出部により外部装置の読取り動作が検出され、かつ画面方向検出部により表示部の画面が下方に向けられたことが検出されたときに、外部装置の読取り動作が行われているとみなして、表示部の画面に表示されている表示内容を規制している。これにより、外部装置の読取り動作が行われているか否かの判定精度を向上させることができる。
【００２４】
また、本発明の携帯型電子装置においては、前記制御部は、前記表示部の画面に予め設定された文字、記号、もしくは符号を表示することにより前記画面に表示されている表示内容の規制を行っている。
【００２５】
例えば、文字、記号、もしくは符号として、複写禁止を示すメッセージ、記号、符号等を適用する。このようなメッセージ、記号、符号等を表示内容に重ねて表示すると、外部装置により読取られた表示内容の規制を行うと同時に、利用者に対して表示内容の読取りもしくは複写の禁止を知らせることができる。
【００２６】
更に、本発明の携帯型電子装置においては、前記制御部は、前記表示部の画面に表示されている表示内容を消去するか、又は前記表示内容の解像度を低下させることにより前記画面に表示されている表示内容の規制を行っている。
【００２７】
このように表示部の画面に表示されている表示内容を消去したり解像度を低下させて、表示内容の規制を行った場合は、外部装置により表示内容が全く読取られなかったり、外部装置により読取られた表示内容の解像度が低下して、表示内容が規制され、また利用者に対して表示内容の読取りもしくは複写の禁止を知らせることができる。
【００２８】
また、本発明の携帯型電子装置においては、前記制御部は、前記表示部の画面に表示されている表示内容を頁単位で規制している。
【００２９】
複数頁の表示内容が表示部の画面に表示される場合は、頁毎に、表示内容を規制するのが好ましい。
【００３０】
更に、本発明の携帯型電子装置においては、前記制御部は、前記表示部の画面に表示されている表示内容の一部を規制している。
【００３１】
表示内容によっては、その一部だけの規制が必要なことがある。この場合は、その一部だけを規制すればよい。
【発明の効果】
【００３２】
本発明の携帯型電子装置では、外部装置の読取り動作を検出して、画面の表示内容を規制している。従って、画像形成装置（複写機もしくは複合機）や画像読取り装置等の外部装置に格別の機能を設けなくても、画面の表示内容の複写禁止等を行うことができる。
【図面の簡単な説明】
【００３３】
【図１】本発明の携帯型電子装置の第１実施形態である電子ペーパの構成を示すブロック図である。
【図２】画像読取り装置を搭載した画像形成装置を示す断面図である。
【図３】（ａ）は図１の電子ペーパの画面に表示された表示内容の一例を示す図であり、（ｂ）は規制符号が重ねられた表示内容を示す図である。
【図４】（ａ）は図１の電子ペーパの画面に表示された表示内容の他の例を示す図であり、（ｂ）は解像度が低くされた表示内容を示す図である。
【図５】（ａ）は図１の電子ペーパの画面に表示された表示内容の別の例を示す図であり、（ｂ）は表示内容の一部の解像度を低くして示す図である。
【図６】電子ペーパの表示内容を規制するための制御を示すフローチャートである。
【図７】本発明の携帯型電子装置の第２実施形態である携帯情報端末を示す平面図である。
【図８】携帯情報端末の構成を示すブロック図である。
【図９】携帯情報端末の複写モードでのコンテンツの表示制御を示すフローチャートである。
【図１０】（ａ）は定型サイズと縦横比率が略同一であるコンテンツを定型サイズに収まるように拡大して示す図であり、（ｂ）は横幅に対する縦幅の比が定型サイズよりも小さいコンテンツを拡大して示す図である。
【図１１】（ａ）は携帯情報端末の表示画面を上方に向けた状態を示す斜視図であり、（ｂ）は表示画面のコンテンツを示す図である。
【図１２】（ａ）は携帯情報端末の表示画面を下方に向けた状態を示す斜視図であり、（ｂ）は表示画面のコンテンツを示す図である。
【図１３】携帯情報端末の表示画面上で規制符号をコンテンツに重ねて示す図である。
【図１４】携帯情報端末の変形例で用いられるデータテーブルを概念的に示す図である。
【図１５】携帯情報端末の他の変形例の表示画面に表示される任意設定ウィンドウを示す図である。
【発明を実施するための形態】
【００３４】
以下、本発明の実施形態を添付図面を参照して詳細に説明する。
【００３５】
図１は、本発明の携帯型電子装置の第１実施形態である電子ペーパを示すブロック図である。第１実施形態の電子ペーパ１は、画像表示用の液晶層を一対の樹脂フィルムで挟んだものであって、薄い平板状でかつフレキシブルな可撓性を有する装置である。図１に示すように電子ペーパ１は、制御部２、液晶表示部３、メモリ４、操作部５、通信部６、方向センサ７、電磁波ノイズセンサ８、振動センサ９、光センサ１０、複数の表面圧力センサ１１、及び複数の背面圧力センサ１２を備えている。また、電子ペーパ１には、電子ペーパ１の駆動電力を供給する電池（図示せず）も内蔵されている。
【００３６】
制御部２は、電子ペーパ１を統括的に制御するものであって、ＩＣチップからなる。液晶表示部３は、電子ペーパ１の表面の殆どを覆う画面に表示内容を表示するディスプレイであり、画面の表示内容の書き換え時のみ電力を必要とし、電圧無印加で画面の表示内容の表示を維持し続けるメモリ性を有し、例えばカイラルネマティック液晶が適用される。液晶表示部３としては、他の種類の液晶あるいは他の方式のものを適用してもよい。
【００３７】
メモリ４は、ＲＯＭやＲＡＭ等であって、各種のプログラムや各種のデータを記憶する。例えば、メモリ４には、液晶表示部３の画面に表示される表示内容を示す表示データ、及び表示データの読取りもしくは複写の禁止を示す制御データ等が記憶される。操作部５は、電子ペーパ１の表面端部に配置された複数の入力キーである。通信部６は、外部から表示データや制御データを受信入力するインターフェースである。通信部６の通信方式は、有線、電波、光、及び音等のいずれを用いたものであってもよい。
【００３８】
方向センサ７及び振動センサ９は、例えば加速度センサであり、１つの加速度センサを方向センサ７及び振動センサ９として共用することができる。方向センサ７は、液晶表示部３の画面の向き（上方又は下方）を検出して、画面の向きを示す検出信号を出力する。また、振動センサ９は、電子ペーパ１に加えられた機械的な振動のレベルを検出して、機械的な振動のレベルを示す検出信号を出力する。
【００３９】
電磁波ノイズセンサ８は、電磁波ノイズを受信するアンテナを有し、アンテナの受信入力レベルを電子ペーパ１付近の電磁波ノイズのレベルとして検出して、電磁波ノイズのレベルを示す検出信号を出力する。光センサ１０は、液晶表示部３の画面と同じ方向に向く受光面を有する受光素子であり、液晶表示部３の画面に対する入射光のレベルを検出し、入射光のレベルを示す検出信号を出力する。
【００４０】
各表面圧力センサ１１及び各背面圧力センサ１２は、例えば圧電センサであり、電子ペーパ１の表面（液晶表示部３の画面と同じ面）に加えられた圧力及び電子ペーパ１の裏面に加えられた圧力をそれぞれ検出して、各圧力を示すそれぞれの検出信号を出力する。各表面圧力センサ１１及び各背面圧力センサ１２のいずれも、電子ペーパ１の各辺に沿って配置され、電子ペーパ１の一部に圧力が作用したのか、電子ペーパ１の全体に圧力が作用したのかを判別することができるようにしている。
【００４１】
電子ペーパ１の全体が均一な厚みであることが望ましく、各センサ７〜１２としては、電子ペーパ１の表面及び裏面から突出しない程度の厚みのものが好ましいが、電子ペーパ１の厚みより僅かに厚いものであっても適用可能である。また、各センサ７〜１２は、電子ペーパ１の表面の殆どを覆う液晶表示部３の画面に重ならないように該画面の外周もしくは電子ペーパ１の各辺近傍に配置するのがよい。
【００４２】
このような構成の電子ペーパ１においては、例えば、表示データを外部から通信部６に受信入力して、表示データをメモリ４に記憶する。制御部２は、メモリ４内の表示データに基づき液晶表示部３を駆動制御して、表示データによって示される表示内容を液晶表示部３の画面に表示する。
【００４３】
こうして液晶表示部３の画面に表示された表示内容は、制御部２により消去されるまで表示され続け、利用者による閲覧が何時でも可能になっている。
【００４４】
また、表示データと共に読取りもしくは複写の禁止を示す制御データを通信部６に受信入力したならば、表示データだけではなく制御データもメモリ４に記憶する。制御部２は、読取りもしくは複写の禁止を示す制御データをメモリ４から読出すと、各センサ７〜１２の検出信号を監視して、各センサ７〜１２の検出信号に基づき画像形成装置（複写機もしくは複合機）や画像読取り装置等の外部装置による読取り動作が行われているか否かを判定し、外部装置の読取り動作が行われていないと判定すると、液晶表示部３の画面に表示されている表示内容を維持し続け、また外部装置の読取り動作が行われていると判定すると、液晶表示部３を駆動制御して、液晶表示部３の画面に表示されている表示内容を規制する。
【００４５】
このような表示内容の規制により、画像形成装置（複写機もしくは複合機）や画像読取り装置等の外部装置による画面上の個人情報や社外秘等の読取りや複写を禁止することができる。次に、画像形成装置及び画像読取り装置を説明する。
【００４６】
図２は、画像読取り装置を搭載した画像形成装置を示す断面図である。この画像形成装置２０は、スキャナ機能、複写機能、プリンタ機能、及びファクシミリ機能等を有する所謂複合機であり、画像読取り装置５１により読取られた原稿の画像を外部に送信したり、この読取られた原稿の画像又は外部から受信した画像をカラーもしくは単色で記録用紙に記録形成する。
【００４７】
画像形成装置２０は、画像を記録用紙に印刷するべく、光走査装置２１、現像装置２２、感光体ドラム２３、ドラムクリーニング装置２４、帯電器２５、中間転写ベルト装置２６、定着装置２７、用紙搬送経路Ｓ、給紙トレイ２８、及び用紙排出トレイ２９等を備えている。
【００４８】
画像形成装置２０において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置２２、感光体ドラム２３、ドラムクリーニング装置２４、及び帯電器２５は、各色に応じた４種類のトナー像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００４９】
各感光体ドラム２３は、それらの表面に光感光層を有している。各帯電器２５は、それぞれの感光体ドラム２３の表面を所定の電位に均一に帯電させるための帯電手段であり、接触型であるローラ型やブラシ型の帯電器のほか、チャージャー型の帯電器が用いられる。
【００５０】
光走査装置２１は、レーザダイオード及び反射ミラーを備えたレーザスキャニングユニット（ＬＳＵ）であり、帯電された各感光体ドラム２３表面を画像データに応じて露光して、それらの表面に画像データに対応する静電潜像を形成する。
【００５１】
各現像装置２２は、それぞれの感光体ドラム２３表面に形成された静電潜像を各色のトナーにより現像し、これらの感光体ドラム２３表面にトナー像を形成する。各ドラムクリーニング装置２４は、現像及び画像転写後にそれぞれの感光体ドラム２３表面に残留したトナーを除去及び回収する。
【００５２】
中間転写ベルト装置２６は、各感光体ドラム２３の上方に配置されており、中間転写ベルト３１、中間転写ベルト駆動ローラ３２、従動ローラ３３、４つの中間転写ローラ３４、及びベルトクリーニング装置３５を備えている。
【００５３】
中間転写ベルト３１は、フィルムを無端ベルト状に形成したものである。中間転写ベルト駆動ローラ３２、従動ローラ３３、各中間転写ローラ３４等は、中間転写ベルト３１を張架して支持し、中間転写ベルト３１を矢印Ｃ方向に周回移動させる。
【００５４】
各中間転写ローラ３４は、中間転写ベルト３１近傍に回転可能に支持され、中間転写ベルト３１を介してそれぞれの感光体ドラム２３に押圧されている。各感光体ドラム２３表面のトナー像が中間転写ベルト３１に順次重ねて転写されて、中間転写ベルト３１上にカラーのトナー像（各色のトナー像）が形成される。各感光体ドラム２３から中間転写ベルト３１へのトナー像の転写は、中間転写ベルト３１裏面に圧接されている各中間転写ローラ３４によって行われる。各中間転写ローラ３４には、トナー像を転写するために高電圧の転写バイアス（トナーの帯電極性（−）とは逆極性（＋）の高電圧）が印加されており、その導電性の弾性材により高電圧が記録用紙に対して均一に印加される。
【００５５】
こうして各感光体ドラム２３表面のトナー像は、中間転写ベルト３１で転写積層され、画像データによって示されるカラーのトナー像となる。このカラーのトナー像は、中間転写ベルト３１と共に搬送され、中間転写ベルト３１と二次転写装置３６の転写ローラ３６ａ間のニップ域で記録用紙上に転写される。
【００５６】
二次転写装置３６の転写ローラ３６ａには、中間転写ベルト３１上のカラーのトナー像を記録用紙に転写させるための電圧（トナーの帯電極性（−）とは逆極性（＋）の高電圧）が印加されている。
【００５７】
また、二次転写装置３６によって中間転写ベルト３１上のトナー像が記録用紙上に完全に転写されず、中間転写ベルト３１表面にトナーが残留することがあり、この残留トナーが次工程でトナーの混色を発生させる原因となる。このため、ベルトクリーニング装置３５によって中間転写ベルト３１表面の残留トナーを除去及び回収する。
【００５８】
記録用紙は、中間転写ベルト３１と二次転写装置３６の転写ローラ３６ａ間のニップ域でカラーのトナー像を転写された後、定着装置２７へと搬送される。定着装置２７は、加熱ローラ４１及び加圧ローラ４２等を備えており、加熱ローラ４１と加圧ローラ４２間に記録用紙を挟み込んで搬送する。
【００５９】
加熱ローラ４１は、所定の定着温度となるように制御されており、加圧ローラ４２と共に記録用紙を熱圧着することにより、記録用紙に転写されたカラーのトナー像を溶融、混合、圧接し、記録用紙に対して熱定着させる。
【００６０】
また、画像形成装置２０の下部には、記録用紙を供給する給紙トレイ２８が設けられている。画像形成装置２０には、給紙トレイ２８から供給された記録用紙を二次転写装置３６や定着装置２７を経由させて用紙排出トレイ２９に送るための、用紙搬送経路Ｓが設けられている。
【００６１】
給紙トレイ２８の端部には用紙ピックアップローラ４３が設けられており、この用紙ピックアップローラ４３により給紙トレイ２８から記録用紙が１枚ずつ引出されて用紙搬送経路Ｓへと搬送される。
【００６２】
用紙搬送経路Ｓに沿って、用紙レジストローラ４４、定着装置２７、搬送ローラ４５、及び排紙ローラ４６等が配置されている。搬送ローラ４５は、記録用紙の搬送を促進補助するための小型のローラであり、複数組設けられている。
【００６３】
用紙レジストローラ４４は、搬送されて来た記録用紙を一旦停止させて、記録用紙の先端を揃え、中間転写ベルト３１と二次転写装置３６の転写ローラ３６ａ間のニップ域で中間転写ベルト３１上のカラーのトナー像が記録用紙に転写されるように、各感光体ドラム２３及び中間転写ベルト３１の回転にあわせて、記録用紙をタイミングよく搬送する。
【００６４】
更に、記録用紙は、定着装置２７でカラーのトナー像を定着され、定着装置２７を通過した後、排紙ローラ４６によって用紙排出トレイ２９上にフェイスダウンで排出される。
【００６５】
また、記録用紙の表面だけではなく、裏面の印字を行う場合は、記録用紙を排紙ローラ４６により搬送する途中で、排紙ローラ４６を停止させてから逆回転させ、記録用紙を反転経路Ｓｒに通して、記録用紙の表裏を反転させ、記録用紙を用紙レジストローラ４４へと導き、記録用紙の表面と同様に、記録用紙の裏面に画像を記録して定着し、記録用紙を用紙排紙トレイ２９に排出する。
【００６６】
次に、画像形成装置２０の本体上部に搭載されている画像読取り装置５１について説明する。画像読取り装置５１は、読取り本体部５１ａと、原稿搬送部５１ｂとを備えており、原稿を読取り本体部５１ａのプラテンガラス５４上に載置して読取る原稿固定方式、及び原稿を原稿搬送部５１ｂで搬送しつつ読取るシートスルー方式のいずれかにより原稿の読取り動作を行う。
【００６７】
ここで、原稿をプラテンガラス５４上に載置して読取る原稿固定方式では、開閉自在に支持されている原稿搬送部５１ｂを開いて、読取り本体部５１ａのプラテンガラス５４を開放させ、プラテンガラス５４上に原稿を載置し、この後に原稿搬送部５１ｂを閉じる。
【００６８】
読取り本体部５１ａの第１走査ユニット５５は、光源６１及び第１反射ミラー６２を備えており、副走査方向Ｙに原稿サイズに応じた距離だけ一定速度Ｖで移動しながら、プラテンガラス５４上の原稿を光源６１によって露光し、その反射光を第１反射ミラー６２により反射して第２走査ユニット５６へと導き、これにより原稿表面の画像を副走査方向Ｙに走査する。第２走査ユニット５６は、第２及び第３反射ミラー６３、６４を備えており、第１走査ユニット５５に追従して速度Ｖ／２で移動しつつ、原稿からの反射光を第２及び第３反射ミラー６３、６４により反射して結像レンズ５７へと導く。結像レンズ５７は、原稿からの反射光をＣＣＤ５８に集光して、原稿表面の画像をＣＣＤ５８上に結像させる。ＣＣＤ５８は、原稿の画像を繰返し主走査方向（副走査方向Ｙと直交する方向）に走査する。
【００６９】
また、原稿を搬送しつつ読取るシートスルー方式では、原稿搬送部５１ｂを閉じた状態で、原稿を原稿トレイ６７にセットする。また、第１走査ユニット５５を原稿読取りガラス６５下方の読取り定位置に移動させ、第１走査ユニット５５の位置に応じて第２走査ユニット５６を位置決めする。
【００７０】
原稿搬送部５１ｂでは、ピックアップローラ６６を原稿トレイ６７上の原稿に押し当て回転させて、原稿を引き出し、原稿を原稿搬送路６８を通じて搬送し、原稿を原稿読取りガラス６５と読取りガイド板６９間に通過させ、更に原稿を排紙ローラ７１から排紙トレイ７２へと搬送する。原稿搬送路６８に沿って、原稿をその先端を揃えてから搬送するレジストローラ７３や、原稿を搬送する搬送ローラ７４が配置されている。
【００７１】
読取り本体部５１ａでは、原稿が原稿読取りガラス６５と読取りガイド板６９間を通過するときに、第１走査ユニット５５の光源６１により原稿表面を原稿読取りガラス６５を介して照明し、原稿表面からの反射光を第１及び第２走査ユニット５５、５６の各反射ミラーにより結像レンズ５７へと導き、原稿表面からの反射光を結像レンズ５７によりＣＣＤ５８に集光させ、原稿表面の画像をＣＣＤ５８上に結像させ、ＣＣＤ５８により原稿の画像を読取る。
【００７２】
また、原稿の裏面を読取る場合は、中間トレイ７７をその軸周りで点線で示すように回転させておき、原稿を排紙ローラ７１から排紙トレイ７２へと排出する途中で、排紙ローラ７１を停止させて、原稿を中間トレイ７７上に受け、排紙ローラ７１を逆回転させて、原稿を反転搬送路７８を介してレジストローラ７３へと導いて、原稿の表裏を反転させ、原稿表面の画像と同様に、原稿裏面の画像を読取り、中間トレイ７７を実線で示す元の位置に戻して、原稿を排紙ローラ７１から排紙トレイ７２へと排出する。
【００７３】
このように原稿固定方式又はシートスルー方式で原稿画像が読取られると、ＣＣＤ５８から原稿画像を示すアナログ画像信号が出力され、アナログ画像信号がデジタル画像信号（画像データ）にＡ／Ｄ変換される。そして、画像データは、種々の画像処理を施されて画像形成装置２０の光走査装置２１へと送受され、画像形成装置２０において画像が記録用紙に記録され、この記録用紙が複写原稿として出力される。
【００７４】
さて、図１の電子ペーパ１の液晶表示部３の画面に表示されている表示内容は、画像読取り装置５１により読取ることが可能であり、かつ画像形成装置２０により記録用紙に印刷して複写することも可能である。
【００７５】
例えば、原稿固定方式では、原稿搬送部５１ｂを開き、電子ペーパ１の液晶表示部３の画面を下方に向けて、電子ペーパ１をプラテンガラス５４上に載置し、原稿搬送部５１ｂを閉じる。このとき、電子ペーパ１の液晶表示部３の画面には表示内容が表示されているものとする。
【００７６】
読取り本体部５１ａでは、第１走査ユニット５５の光源６１を点灯して、光源６１の光によって電子ペーパ１の液晶表示部３の画面を照明し、第１及び第２走査ユニット５５、５６を副走査方向に移動させつつ、電子ペーパ１の液晶表示部３の画面からの反射光を第１及び第２走査ユニット５５、５６及び結像レンズ５７を経てＣＣＤ５８に入射させ、ＣＣＤ５８により電子ペーパ１の液晶表示部３の画面を走査する。ＣＣＤ５８からは電子ペーパ１の液晶表示部３の画面に表示されている表示内容を示すアナログ画像信号が出力され、アナログ画像信号が画像データに変換され、画像形成装置２０において画像データによって示される表示内容が記録用紙に記録される。こうして電子ペーパ１の表示内容が記録用紙に複写される。
【００７７】
また、シートスルー方式でも、電子ペーパ１が薄い平板状でかつフレキシブルな可撓性を有するものであることから、電子ペーパ１を原稿搬送部５１ｂで搬送しつつ読取ることができる。この場合、電子ペーパ１の液晶表示部３の画面に表示内容を表示した状態で、電子ペーパ１を原稿トレイ６７にセットする。
【００７８】
原稿搬送部５１ｂでは、ピックアップローラ６６により電子ペーパ１を原稿トレイ６７から引き出し、電子ペーパ１を原稿搬送路６８を通じて搬送し、電子ペーパ１を原稿読取りガラス６５と読取りガイド板６９間に通過させ、更に電子ペーパ１を排紙ローラ７１を介して排紙トレイ７２へと搬送する。
【００７９】
読取り本体部５１ａでは、第１走査ユニット５５を原稿読取りガラス６５下方の読取り定位置に移動させ、第１走査ユニット５５の位置に応じて第２走査ユニット５６を位置決めしておき、電子ペーパ１が原稿読取りガラス６５と読取りガイド板６９間を通過するときに、第１走査ユニット５５の光源６１により電子ペーパ１の液晶表示部３の画面を原稿読取りガラス６５を介して照明し、電子ペーパ１の液晶表示部３の画面からの反射光を第１及び第２走査ユニット５５、５６及び結像レンズ５７を経てＣＣＤ５８に入射させ、ＣＣＤ５８により電子ペーパ１の画面の表示内容を読取る。この読取られた電子ペーパ１の画面の表示内容は、画像形成装置２０において記録用紙に記録されて複写される。
【００８０】
また、電子ペーパ１においては、先に述べたように表示データと共に読取りもしくは複写の禁止を示す制御データがメモリ４に記憶されていた場合は、制御部２により制御データがメモリ４から読出されて、制御部２による各センサ７〜１２の検出信号の監視が継続的に行われる。そして、制御部２は、原稿固定方式及びシートスルー方式のいずれであるかにかかわらず、各センサ７〜１２の検出信号に基づき画像読取り装置５１による読取り動作が行われているか否かを判定し、画像読取り装置５１の読取り動作が行われていると判定すると、液晶表示部３の画面に表示されている表示内容を規制する。
【００８１】
従って、読取りもしくは複写の禁止を示す制御データが電子ペーパ１のメモリ４に記憶されていない場合は、電子ペーパ１の液晶表示部３の画面に表示されている表示内容が維持され、この画面の表示内容を読取って複写することができる。また、制御データが電子ペーパ１のメモリ４に記憶されている場合は、電子ペーパ１の制御部２により画像読取り装置５１の読取り動作が行われていると判定されたときに、電子ペーパ１の液晶表示部３の画面に表示されている表示内容が規制されて、この画面の表示内容を正常に読取って複写することができなくなる。
【００８２】
次に、各センサ７〜１２の検出信号に基づく画像読取り装置５１による読取り動作の検出方法を説明する。
【００８３】
まず、一般に、利用者が電子ペーパ１の液晶表示部３の画面に表示されている表示内容を目視しているときには、電子ペーパ１の液晶表示部３の画面が上方向に向けられ、また明る過ぎず又暗過ぎることもない適宜の照明下であることが多い。また、通常の環境では、電子ペーパ１付近の電磁波ノイズのレベルが高くなく、電子ペーパ１に機械的な振動が加えられることがなく、電子ペーパ１の端部が手で把持されることにより電子ペーパ１の端部に圧力が加わっても、電子ペーパ１の全体に圧力が加わることがない。従って、電子ペーパ１の表示内容が目視されるときには、方向センサ７の検出信号によって示される液晶表示部３の画面の向きが上方向となり、また光センサ１０の検出信号によって示される液晶表示部３の画面への入射光のレベルが適宜範囲にあり、また電磁波ノイズセンサ８の検出信号によって示される電子ペーパ１付近の電磁波ノイズのレベルが低く、また振動センサ９の検出信号によって示される電子ペーパ１の機械的な振動のレベルが低く、また各表面圧力センサ１１の検出信号及び各背面圧力センサ１２の検出信号によって示されるそれぞれの圧力レベルの全てが高くなることはない。
【００８４】
一方、原稿固定方式では、原稿搬送部５１ｂを開いて、電子ペーパ１の液晶表示部３の画面を下方に向けた状態で、電子ペーパ１をプラテンガラス５４上に載置し、原稿搬送部５１ｂを閉じる。このため、電子ペーパ１の方向センサ７の検出信号によって示される向きが下方向となる。また、原稿搬送部５１ｂとプラテンガラス５４の間に電子ペーパ１が挟み込まれるため、電子ペーパ１の全体に圧力がかかり、各表面圧力センサ１１の検出信号及び各背面圧力センサ１２の検出信号によって示されるそれぞれの圧力レベルの全てが高くなる。
【００８５】
また、光源６１の光により電子ペーパ１の液晶表示部３の画面を照明するため、光センサ１０の検出信号によって示される入射光のレベルが高くなる。更に、インバータ（図示せず）の高周波出力を光源６１に加えて、光源６１を発光させ、読取り対象を照明することから、インバータから高レベルの電磁波ノイズが発生する。このため、電磁波ノイズセンサ８の検出信号によって示される電磁波ノイズのレベルが高くなる。
【００８６】
従って、原稿固定方式で電子ペーパ１の液晶表示部３の画面の表示内容が読取られるときには、その表示内容が目視されるときと比較すると、方向センサ７の検出信号によって示される向きが下方向となり、各表面圧力センサ１１の検出信号及び各背面圧力センサ１２の検出信号によって示されるそれぞれの圧力レベルの全てが高くなり、光センサ１０の検出信号によって示される入射光のレベルが高くなり、電磁波ノイズセンサ８の検出信号によって示される電磁波ノイズのレベルが高くなる。ただし、原稿固定方式では、機械的な振動を電子ペーパ１に殆ど受けることがないため、振動センサ９によって検出される電子ペーパ１の機械的な振動のレベルが大きく変化することはない。
【００８７】
そこで、電子ペーパ１の制御部２は、方向センサ７によって検出された向きが下方向であるか否かを判定し、各表面圧力センサ１１及び各背面圧力センサ１２によって検出されたそれぞれの圧力レベルの全てが予め設定された圧力閾値以上であるか否かを判定し、光センサ１０によって検出された入射光のレベルが予め設定された光閾値以上であるか否かを判定し、電磁波ノイズセンサ８によって検出された電磁波ノイズのレベルが予め設定されたノイズ閾値以上であるか否かを判定する。そして、制御部２は、方向センサ７によって検出された向きが下方向であり、かつ各表面圧力センサ１１及び各背面圧力センサ１２によって検出されたそれぞれの圧力レベルの全てが圧力閾値以上であり、かつ光センサ１０によって検出された入射光のレベルが光閾値以上であり、かつ電磁波ノイズセンサ８によって検出された電磁波ノイズのレベルがノイズ閾値以上であり、このような状態が一定時間以上継続したときに、画像読取り装置５１による読取り動作が行われていると判定し、この判定をなすと、液晶表示部３の画面に表示されている表示内容を規制する。
【００８８】
次に、シートスルー方式では、ピックアップローラ６６により電子ペーパ１を原稿トレイ６７から引き出し、電子ペーパ１を原稿搬送路６８を通じて搬送する。このため、電子ペーパ１は、ピックアップローラ６６や原稿搬送路６８の搬送ローラ４５、用紙レジストローラ４４等から機械的な振動を直接受けたり、あるいは各ローラの駆動機構から機械的な振動を間接的に受け、振動センサ９検出信号によって示される機械的な振動レベルが高くなる。
【００８９】
また、電子ペーパ１が原稿読取りガラス６５と読取りガイド板６９間を通過するときには、電子ペーパ１の液晶表示部３の画面が下方に向くため、電子ペーパ１の方向センサ７の検出信号によって示される向きが下方向となる。
【００９０】
また、光源６１の光により電子ペーパ１の液晶表示部３の画面を照明するため、光センサ１０の検出信号によって示される入射光のレベルが高くなる。更に、光源６１に高周波出力を加えるインバータから高レベルの電磁波ノイズが発生するため、電磁波ノイズセンサ８の検出信号によって示される電磁波ノイズのレベルが高くなる。
【００９１】
従って、シートスルー方式で電子ペーパ１の液晶表示部３の画面の表示内容が読取られるときには、その表示内容が目視されるときと比較すると、振動センサ９の検出信号によって示される機械的な振動レベルが高くなり、方向センサ７の検出信号によって示される向きが下方向になり、光センサ１０の検出信号によって示される入射光のレベルが高くなり、電磁波ノイズセンサ８の検出信号によって示される電磁波ノイズのレベルが高くなる。ただし、シートスルー方式では、電子ペーパ１が各ローラ間に挟み込まれることから、各表面圧力センサ１１の一部及び各背面圧力センサ１２の一部によって検出された圧力レベルが高くなることがあっても、電子ペーパ１の全体に圧力がかかることはなく、各表面圧力センサ１１及び各背面圧力センサ１２によって検出されたそれぞれの圧力レベルの全てが高くなることはない。
【００９２】
そこで、電子ペーパ１の制御部２は、振動センサ９によって検出された機械的な振動レベルが予め設定された振動閾値以上であるか否かを判定し、方向センサ７によって検出された向きが下方向であるか否かを判定し、光センサ１０によって検出された入射光のレベルが光閾値以上であるか否かを判定し、電磁波ノイズセンサ８によって検出された電磁波ノイズのレベルがノイズ閾値以上であるか否かを判定する。そして、制御部２は、振動センサ９によって検出された機械的な振動レベルが振動閾値以上であり、かつ方向センサ７によって検出された向きが下方向であり、かつ光センサ１０によって検出された入射光のレベルが光閾値以上であり、かつ電磁波ノイズセンサ８によって検出された電磁波ノイズのレベルがノイズ閾値以上であり、このような状態が一定時間以上継続すると、画像読取り装置５１による読取り動作が行われていると判定し、液晶表示部３の画面に表示されている表示内容を規制する。
【００９３】
従って、電子ペーパ１では、方向センサ７によって検出された向きが下方向であり、かつ各表面圧力センサ１１及び各背面圧力センサ１２によって検出されたそれぞれの圧力レベルの全てが高く、かつ光センサ１０によって検出された入射光のレベルが光閾値以上であり、かつ電磁波ノイズセンサ８によって検出された電磁波ノイズのレベルがノイズ閾値以上である状態が一定時間以上継続したときか（原稿固定方式での読取り動作のときか）、又は振動センサ９によって検出された機械的な振動レベルが振動閾値以上であり、かつ方向センサ７によって検出された向きが下方向であり、かつ光センサ１０によって検出された入射光のレベルが光閾値以上であり、かつ電磁波ノイズセンサ８によって検出された電磁波ノイズのレベルがノイズ閾値以上である状態が一定時間以上継続したときに（シートスルー方式での読取り動作のときに）、画像読取り装置５１による読取り動作が行われていると判定して、液晶表示部３の画面に表示されている表示内容を規制する。
【００９４】
尚、画像読取り装置５１による読取り動作が行われているか否かの判定に用いられる各センサの検出信号の組み合わせを適宜に変更したり、一部のセンサを省略してもよい。勿論、判定に用いられるセンサの検出信号の種類もしくは数が多くなるほど、判定精度が高くなる。
【００９５】
次に、電子ペーパ１の液晶表示部３の画面に表示されている表示内容の規制方法について説明する。
【００９６】
例えば、表示データと共に読取りもしくは複写の禁止を示す制御データがメモリ４に記憶されていない場合、電子ペーパ１の制御部２は、図３（ａ）に示すような表示データに対応する表示内容Ｃ１を電子ペーパ１の液晶表示部３の画面３ａに継続的に表示し、また各センサ７〜１２の検出信号の監視を行わない。このため、画像読取り装置５１による読取り動作が行われても、液晶表示部３の画面３ａの表示内容Ｃ１が維持されて、表示内容Ｃ１の読取りもしくは複写が行われる。
【００９７】
また、表示データと共に読取りもしくは複写の禁止を示す制御データがメモリ４に記憶されている場合、電子ペーパ１の制御部２は、図３（ａ）に示すような表示データに対応する表示内容Ｃ１を電子ペーパ１の液晶表示部３の画面３ａに継続的に表示しながらも、メモリ４内の制御データに応じて各センサ７〜１２の検出信号を監視し続け、各センサ７〜１２の検出信号に基づき画像読取り装置５１による読取り動作が行われているか否かを判定する。そして、制御部２は、各センサ７〜１２の検出信号に基づき画像読取り装置５１の読取り動作が行われていると判定したときに、図３（ｂ）に示すような規制符号Ｄ１の表示データをメモリ４から読出して、規制符号Ｄ１を表示内容Ｃ１に重ねて画面３ａに表示する。この規制符号Ｄ１を示す表示データは、電子ペーパ１のメモリ４に予め記憶されている。
【００９８】
このため、図３（ｂ）の規制符号Ｄ１を表示内容Ｃ１に重ねた画像が画像読取り装置５１により読取られ、この画像が画像形成装置２０で記録用紙に記録されて複写される。
【００９９】
このようにメモリ４内の読取りもしくは複写の禁止を示す制御データに応じて規制符号Ｄ１を表示内容Ｃ１に重ねて表示することにより、表示内容Ｃ１を規制することができ、これと同時に、利用者に対しては、記録用紙に記録された規制符号Ｄ１により表示内容Ｃ１の読取りもしくは複写の禁止を知らせることができる。
【０１００】
尚、規制符号Ｄ１の代わりに、他の文字、記号、符号等、もしくはそれらを組み合わせて画面３ａに表示しても構わない。例えば、読取りもしくは複写禁止を示すエラーメッセージ（文字列）を表示内容に重ねて表示してもよい。また、文字、記号、符号等、もしくはそれらを組み合わせたものをウォータマークにして表示内容に重ねて表示してもよい。
【０１０１】
あるいは、文字、記号、符号等の代わりに、電子ペーパ１の液晶表示部３の画面３ａに表示されている表示内容を消去したり、表示内容の解像度を低くしても構わない。例えば、読取りもしくは複写の禁止を示す制御データがメモリ４に記憶されており、図４（ａ）に示す表示内容Ｃ２が電子ペーパ１の液晶表示部３の画面３ａに表示されているものとすると、制御部２は、画像読取り装置５１による読取り動作が行われていると判定したときに、画面３ａ上の表示内容Ｃ２の解像度を低下させて、図４（ｂ）に示すような表示内容Ｃ３を表示する。この表示内容Ｃ３は、画像読取り装置５１により読取られ、画像形成装置２０で記録用紙に記録されて複写される。利用者は、記録用紙上の解像度が低下した表示内容Ｃ３を見て、図４（ａ）の表示内容Ｃ２の読取りもしくは複写が禁止されていることを知ることができる。
【０１０２】
また、複数頁の表示内容を示すそれぞれの表示データを電子ペーパ１のメモリ４に記憶しておき、各頁の表示内容を電子ペーパ１の液晶表示部３の画面に選択的に表示するときには、頁毎に、表示内容の規制を行ってもよい。この場合、読取りもしくは複写が禁止されている頁の表示内容の表示データに対応付けて、その禁止を示す制御データをメモリ４に記憶しておく。電子ペーパ１の制御部２は、表示データをメモリ４から読出して、この表示データによって示される頁の表示内容を液晶表示部３の画面に表示しているときに、この表示データに対応する制御データをメモリ４内で検索し、制御データを検索することができなければ、各センサ７〜１２の検出信号の監視を行わず、頁の表示内容の表示を維持する。また、制御部２は、制御データを検索することができたならば、各センサ７〜１２の検出信号の監視を継続的に行って、画像読取り装置５１による読取り動作が行われているか否かを判定し、読取り動作が行われていると判定すると、頁の表示内容を規制する。これにより、頁毎に、表示内容の規制を行うことができる。
【０１０３】
更に、表示内容を部分的に規制することも可能である。この場合、表示内容における読取りもしくは複写が禁止されている表示部分を示す表示データ部分に対応付けて、その禁止を示す制御データをメモリ４に記憶しておく。電子ペーパ１の制御部２は、表示データをメモリ４から読出して、表示データによって示される表示内容を液晶表示部３の画面に表示しているときに、読取りもしくは複写が禁止されている表示部分に対応する制御データをメモリ４内で検索し、制御データを検索することができなければ、各センサ７〜１２の検出信号の監視を行わず、表示内容の表示を維持する。また、制御部２は、制御データを検索することができたならば、各センサ７〜１２の検出信号の監視を継続的に行って、画像読取り装置５１による読取り動作が行われているか否かを判定し、読取り動作が行われていると判定すると、読取りもしくは複写が禁止されている表示データ部分によって示される表示部分だけを規制する。これにより、表示内容を部分的に規制することができる。例えば、図５（ａ）に示す表示内容Ｃ４が電子ペーパ１の液晶表示部３の画面３ａに表示され、表示内容Ｃ４の表示部分Ｃ４ａを示す表示データ部分に対応付けて読取りもしくは複写の禁止を示す制御データがメモリ４に記憶されているものとすると、画像読取り装置５１による読取り動作が行われていると判定したときに、図５（ｂ）に示すように画面３ａ上の表示内容Ｃ４の表示部分Ｃ４ａの解像度を低下させる。
【０１０４】
次に、電子ペーパ１の制御部２による液晶表示部３の画面の表示内容の規制制御を、図６のフローチャートを参照しつつ整理して説明する。
【０１０５】
まず、電子ペーパ１の制御部２は、液晶表示部３の画面に表示内容が表示されている状態であるか否かを判定し（ステップＳ２０１）、例えば表示内容が表示されている状態であると判定すると（ステップＳ２０１で「Ｎｏ」）、ステップＳ２０２以降の処理を行わずに、図６のフローチャートの処理を終了する。
【０１０６】
また、制御部２は、液晶表示部３の画面に表示内容が表示されている状態であると判定すると（ステップＳ２０１で「Ｙｅｓ」）、読取りもしくは複写の禁止を示す制御データが表示内容の表示データと共にメモリ４に記憶されているか否かを判定し（ステップＳ２０２）、例えば制御データがメモリ４に記憶されていなければ（ステップＳ２０２で「Ｎｏ」）、ステップＳ２０１に戻る。従って、液晶表示部３の画面に表示内容が表示されている状態であって、読取りもしくは複写の禁止を示す制御データがメモリ４に記憶されていない場合は、ステップ２０１、Ｓ２０２が繰返されて、液晶表示部３の画面に表示内容が継続して表示され、ステップＳステップＳ２０３以降の処理、すなわち外部装置による読取り動作が行われているか否かの判定等の処理が行われない。
【０１０７】
また、制御部２は、制御データがメモリ４に記憶されていると判定したならば（ステップＳ２０２で「Ｙｅｓ」）、各センサ７〜１２の検出信号の監視を開始して継続する。そして、制御部２は、方向センサ７によって検出された液晶表示部３の画面の向きが下方向であるか否かを判定し（ステップＳ２０３）、また電磁波ノイズセンサ８によって検出された電磁波ノイズのレベルがノイズ閾値以上であるか否か、振動センサ９によって検出された機械的な振動のレベルが振動閾値以上であるか否か、光センサ１０によって検出された入射光のレベルが光閾値以上であるか否か、各表面圧力センサ１１及び各背面圧力センサ１２によって検出されたそれぞれの圧力レベルの全てが圧力閾値以上であるか否かをそれぞれ判定する（ステップＳ２０４）。
【０１０８】
そして、先に述べたように原稿固定方式での読取り動作に伴い、方向センサ７によって検出された向きが下方向となり、かつ各表面圧力センサ１１及び各背面圧力センサ１２によって検出されたそれぞれの圧力レベルの全てが高くなり、かつ光センサ１０によって検出された入射光のレベルが光閾値以上となり、かつ電磁波ノイズセンサ８によって検出された電磁波ノイズのレベルがノイズ閾値以上になった状態が一定時間以上継続すると、制御部２は、読取り動作が行われていると判定し（ステップＳ２０３で「Ｙｅｓ」、Ｓ２０４で「Ｙｅｓ」）、液晶表示部３の画面に表示されている表示内容を規制する（ステップＳ２０５）。この結果、例えば読取りもしくは複写禁止を示すエラーメッセージが液晶表示部３の画面の表示内容に重ねて表示され、画像読取り装置５１によりエラーメッセージ及び表示内容が読取られて、画像形成装置２０によりエラーメッセージ及び表示内容が記録用紙に記録される（ステップＳ２０６）。
【０１０９】
また、先に述べたようにシートスルー方式での読取り動作に伴い、振動センサ９によって検出された機械的な振動レベルが振動閾値以上となり、かつ方向センサ７によって検出された向きが下方向となり、かつ光センサ１０によって検出された入射光のレベルが光閾値以上となり、かつ電磁波ノイズセンサ８によって検出された電磁波ノイズのレベルがノイズ閾値以上になった状態が一定時間以上継続すると、制御部２により読取り動作が行われていると判定され（ステップＳ２０３で「Ｙｅｓ」、Ｓ２０４で「Ｙｅｓ」）、制御部２により液晶表示部３の画面に表示されている表示内容が規制され（ステップＳ２０５）、この規制された表示内容が画像読取り装置５１により読取られて画像形成装置２０により記録用紙に記録される（ステップＳ２０６）。
【０１１０】
このように第１実施形態の電子ペーパ１では、表示データによって示される表示内容が液晶表示部３の画面３ａに表示されている状態で、表示データと共に読取りもしくは複写の禁止を示す制御データがメモリ４に記憶されている場合は、各センサ７〜１２の検出信号の監視を継続的に行って、各センサ７〜１２の検出信号に基づき画像形成装置や画像読取り装置等の外部装置による読取り動作が行われているか否かを判定し、読取り動作が行われていると判定したときに、液晶表示部３の画面３ａに表示されている表示内容を規制している。このため、外部装置に格別の機能を設けなくても、外部装置による画面の表示内容の読取りや複写等を規制することができる。
【０１１１】
次に、本発明の携帯型電子装置の第２実施形態である携帯情報端末を説明する。図７は、第２実施形態の携帯情報端末を概略的に示す平面図である。図７に示すように携帯情報端末８１は、本体筐体８１ａの表側に液晶表示部の表示画面８３ａと、複数の操作キー８４と、光センサ８５とが配置されている。光センサ８５は、液晶表示部の画面８３ａの側辺近傍に配置されており、その受光面が液晶表示部の画面８３ａと同一方向に向き、液晶表示部の画面８３ａに対する入射光のレベルを検出して、入射光のレベルを示す検出信号を出力する。
【０１１２】
また、液晶表示部の画面８３ａには透明なタッチパネル（図示せず）が重ねられており、画面３ａに表示された操作ボタン等が指示されると、この指示された操作ボタン等がタッチパネルで検出される。
【０１１３】
図８は、携帯情報端末８１の構成を示すブロック図である。図８に示すように携帯情報端末８１は、制御部８２、液晶表示部８３、光センサ８５、操作部８６、メモリ８７、通信部８８、及び方向センサ８９を備えている。また、携帯情報端末８１には、携帯情報端末８１の駆動電力を供給する電池（図示せず）も内蔵されている。
【０１１４】
制御部８２は、携帯情報端末８１を統括的に制御するものであって、ＣＰＵ、各種のインターフェース等からなる。操作部８６は、複数の操作キー８４（図６に示す）及び液晶表示部８３（図６に示す）の画面８３ａに重ねられたタッチパネル等を備え、各操作キー８４に対する入力操作を検出したり、液晶表示部８３の画面８３ａ上の操作ボタンに対する入力操作をタッチパネルを介して検出し、その入力操作された操作キーや操作ボタンを示す操作信号を出力する。
【０１１５】
メモリ８７は、ＲＡＭ、ＲＯＭ等からなり、各種のプログラムを記憶したり、液晶表示部３の画面８３ａに表示されるコンテンツを示す表示データを記憶するものであって、表示データの書き換えが可能である。また、表示データの読取りもしくは複写が禁止されている場合には、読取りもしくは複写の禁止を示す制御データが表示データと共にメモリ８７に記憶される。通信部８８は、外部から表示データや制御データを受信入力するインターフェースである。通信部８８の通信方式は、有線、電波、光、及び音等のいずれを用いたものであってもよい。
【０１１６】
光センサ８５は、先に述べたように液晶表示部８３の画面８３ａに対する入射光のレベルを検出して、入射光のレベルを示す検出信号を出力する。方向センサ８９は、例えば加速度センサであり、液晶表示部８３の画面８３ａが下方及び上方のいずれに向いているかを検出して、下方及び上方のいずれかを示す検出信号を出力する。
【０１１７】
このような構成の携帯情報端末８１において、制御部８２は、例えば操作キー８４や画面８３ａ上の操作ボタンの入力操作に応答してメモリ８７からテキスト等のコンテンツを示す表示データを読み出して、コンテンツを画面８３ａに表示する。
【０１１８】
また、制御部８２は、操作キー８４や画面８３ａ上の操作ボタンの入力操作に応答して画面８３ａのコンテンツをスクロール表示する。携帯情報端末８１が携帯型のものであって、画面８３ａのサイズが小さく、コンテンツ全体を画面８３ａに一度で表示することができない。このため、画面８３ａのコンテンツをスクロール表示する必要がある。
【０１１９】
更に、コンテンツの表示データと共に読取りもしくは複写の禁止を示す制御データがメモリ４に記憶されている場合、制御部８２は、携帯情報端末８１においてコンテンツの複写モード（動作モード）が設定されているか否かを判定し、複写モードが設定されていなければ、画面８３ａに表示されているコンテンツをそのまま維持し、また複写モードが設定されていれば、画面８３ａに表示されているコンテンツを規制する。
【０１２０】
次に、図７及び図８の携帯情報端末８１を図１の画像形成装置２０の画像読取り装置５１にセットして、画像読取り装置５１により携帯情報端末８１の画面８３ａに表示されているコンテンツを読取って、画像形成装置２０によりそのコンテンツを記録用紙に複写したり、あるいはメモリ８７内の制御データに基づき画面８３ａに表示されているコンテンツを規制する手順を、図９のフローチャートを参照して説明する。
【０１２１】
まず、携帯情報端末８１の操作キー８４や画面８３ａ上の操作ボタンの操作により、メモリ８７からコンテンツを読み出して液晶表示部８３の画面８３ａに表示する。
【０１２２】
コンテンツは、その全体が画面８３ａに一括的に表示可能であっても表示不可能であってもよい。コンテンツ全体が一括的に表示されていなくても、画面８３ａ上でコンテンツがスクロール表示されるためである。
【０１２３】
この状態で、操作キー８４や画面８３ａ上の操作ボタンを操作して、コンテンツの複写モード（動作モード）を指示すると、操作部８６により複写モードが検出され、複写モードが制御部８２に通知される。これに応答して制御部８２は、画像読取り装置５１の原稿搬送部５１ｂによる原稿の搬送速度をメモリ８７から読出して、この原稿の搬送速度を、画面８３ａ上でコンテンツをスクロール表示するときのスクロール速度として設定する（ステップＳ３０１）。メモリ８７には、画像読取り装置５１の原稿搬送部５１ｂによる原稿の搬送速度が予め記憶されており、携帯情報端末８１で複写モードが設定されたときに、この原稿の搬送速度がメモリ８７から読出されてスクロール速度として設定される。
【０１２４】
また、制御部８２は、拡大されたコンテンツのサイズが記録用紙の定型サイズに収まるような該コンテンツの拡大倍率を算出して求める。例えば、記録用紙の定型サイズをＡ４（ＪＩＳ）に規定しておき、コンテンツの縦横比率と定型サイズＡ４の縦横比率が略同一である場合は、図１０（ａ）に示すように拡大されたコンテンツＫ１のサイズが定型サイズＡ４に収まるような拡大倍率を算出して求める。また、コンテンツの縦横比率と定型サイズＡ４の縦横比率が異なり、コンテンツの横幅に対する縦幅の比が定型サイズＡ４の横幅に対する縦幅の比よりも小さい場合は、図１０（ｂ）に示すように拡大されたコンテンツＫ２の横幅が定型サイズＡ４の横幅に収まるような拡大倍率を算出して求め、またその拡大倍率で拡大されたコンテンツＫ２が記録用紙に印刷されたときに生じる余白Ｓ１に対応するスペースを元のコンテンツに付加する。更に、コンテンツの横幅に対する縦幅の比が定型サイズＡ４の横幅に対する縦幅の比よりも大きい場合は、コンテンツの縦幅が定型サイズＡ４の縦幅に収まるような拡大倍率を算出して求める。
【０１２５】
このとき、利用者が携帯情報端末８１の画面８３ａを見ており、画面８３ａが上方に向けられている。制御部８２は、方向センサ８９の検出信号に基づき画面８３ａが上方に向いていると判定し、この判定をなすと、画面８３ａ上のコンテンツを一旦消去し、算出して求めた拡大倍率等を画面８３ａに表示する（ステップＳ３０２）。例えば、図１１（ａ）に示すように携帯情報端末８１の画面８３ａが上方に向けられた状態で、図１１（ｂ）に示すように画像形成装置（又は画像読取り装置）の型番、原稿搬送速度、拡大倍率を画面８３ａに表示する。
【０１２６】
利用者は、画面８３ａに表示された拡大倍率を確認し、画像形成装置２０の入力操作部（図示せず）を操作して、記録用紙の定型サイズＡ４と拡大倍率を指定して設定する（ステップＳ３０３）。
【０１２７】
尚、拡大倍率だけではなく、記録用紙の定型サイズも表示して指定するようにしても構わない。例えば、操作キー８４や画面８３ａ上の操作ボタンを操作して、複数種の定型サイズのいずれかを指定し、拡大されたコンテンツのサイズがその指定された記録用紙の定型サイズに収まるような該コンテンツの拡大倍率を算出して求め、画面８３ａに拡大倍率と記録用紙の定型サイズとを表示する。利用者は、画像形成装置２０の入力操作部（図示せず）を操作して、拡大倍率と記録用紙の定型サイズとを指定して設定する。
【０１２８】
この後、利用者は、原稿搬送部５１ｂを開き、携帯情報端末８１の表裏を反転させて、画面８３ａを下方に向け、画面８３ａを原稿読取りガラス６５に重ね合わせ、携帯情報端末８１を載置して、原稿搬送方向（副走査方向Ｙ）と携帯情報端末８１の画面８３ａの縦方向を一致させる。この状態では、画面８３ａの側辺近傍に配置された光センサ８５の受光面も下方に向き、光センサ８５が原稿読取りガラス６５に重ね合わされる。
【０１２９】
このとき、制御部８２は、方向センサ８９の検出信号に基づき画面８３ａが下方に向いていると判定し、この判定をなすと、先に表示した拡大倍率等を画面８３ａから消去して、コンテンツを画面８３ａに再表示する（ステップＳ３０４）。例えば、図１２（ａ）に示すように携帯情報端末８１の画面８３ａが下方に向けられた状態で、図１２（ｂ）に示すように画面８３ａにコンテンツＫ３を再表示する。
【０１３０】
また、制御部８２は、ステップＳ３０１で複写モード（動作モード）が検出されて設定されたことから、コンテンツＫ３に対応する読取りもしくは複写の禁止を示す制御データをメモリ８７内で検索する。そして、制御部８２は、制御データを検索することができなければ、画面８３ａのコンテンツＫ３の表示をそのまま維持する。また、御部８２は、制御データを検索することができたならば、画面８３ａのコンテンツＫ３を規制する。
【０１３１】
例えば、読取りもしくは複写の禁止を示す制御データがメモリ４に記憶されていない場合は、図１２（ｂ）に示すような画面８３ａのコンテンツＫ３がそのまま維持される。また、読取りもしくは複写の禁止を示す制御データがメモリ８７に記憶されている場合は、図１３に示すような規制符号Ｄ１の表示データがメモリ８７から読出されて、規制符号Ｄ１がコンテンツＫ３に重ねて画面８３ａに表示される。
【０１３２】
引き続いて、利用者は、画像形成装置２０の入力操作部（図示せず）を操作して、シートスルー方式での読取りと複写の開始を指示する。画像読取り装置５１では、シートスルー方式での読取り指示に応答して第１走査ユニット５５を原稿読取りガラス６５下方の読取り定位置に移動させ、第１走査ユニット５５の位置に応じて第２走査ユニット５６を位置決めし、第１走査ユニット５５の光源６１により携帯情報端末８１の画面８３ａを原稿読取りガラス６５を介して照明し、画面８３ａからの反射光を第１及び第２走査ユニット５５、５６の各反射ミラーにより結像レンズ５７へと導き、画面８３ａからの反射光を結像レンズ５７によりＣＣＤ５８に集光させ、画面８３ａに表示されている図１２（ｂ）のコンテンツＫ３又は図１３の規制符号Ｄ１が重ねられたコンテンツＫ３をＣＣＤ５８上に結像させ、ＣＣＤ５８によりコンテンツＫ３又は規制符号Ｄ１が重ねられたコンテンツＫ３を読取る（ステップＳ３０５）。
【０１３３】
このとき、携帯情報端末８１では、光センサ８５により光源６１の光を受光し、光センサ８５の受光信号が制御部８２に加えられる。制御部８２は、受光信号を入力すると、この受光信号の入力タイミングに基づき画像読取り装置５１による読取り開始タイミングを求め、この読取り開始タイミングから、画面８３ａ上で、図１２（ｂ）のコンテンツＫ３又は図１３の規制符号Ｄ１が重ねられたコンテンツＫ３を画像読取り装置５１の原稿搬送部５１ｂによる原稿の搬送速度と同一のスクロール速度で該画面８３ａの縦方向にスクロール表示する（ステップＳ３０６）。また、図１０（ｂ）に示すような余白Ｓ１が生じている場合は、余白Ｓ１に対応するスペースもスクロール表示する。
【０１３４】
例えば、画像読取り装置５１において光源６１の点灯開始と同時に読取り動作が開始されるならば、携帯情報端末８１において光センサ８５からの受光信号の出力時点が画像読取り装置５１による読取り開始タイミングとして求められて、この読取り開始タイミングから図１２（ｂ）のコンテンツＫ３又は図１３の規制符号Ｄ１が重ねられたコンテンツＫ３のスクロール表示が開始される。また、画像読取り装置５１において光源６１の点灯開始から一定時間後に読取り動作が開始されるならば、携帯情報端末８１において光センサ８５からの受光信号の出力時点から一定時間後のタイミングが画像読取り装置５１による読取り開始タイミングとして求められて、この読取り開始タイミングからコンテンツＫ３又は規制符号Ｄ１が重ねられたコンテンツＫ３のスクロール表示が開始される。
【０１３５】
そして、携帯情報端末８１では、画面８３ａ上で、図１２（ｂ）のコンテンツＫ３又は図１３の規制符号Ｄ１が重ねられたコンテンツＫ３をその終端までスクロール表示して、コンテンツＫ３又は規制符号Ｄ１が重ねられたコンテンツＫ３の表示を終了する。
【０１３６】
画像読取り装置５１では、光源６１の点灯を一定期間継続させてから、光源６１を消灯させ、読取り動作を終了する。例えば、一定期間がデフォルト設定されていてもよい。また、コンテンツの記録に用いられる記録用紙の定型サイズとコンテンツの拡大倍率からコンテンツの副走査方向長さを求め、コンテンツの副走査方向長さと原稿の搬送速度から光源６１の点灯を継続すべき一定期間を求めることができる。
【０１３７】
このように画面８３ａ上でコンテンツＫ３又は規制符号Ｄ１が重ねられたコンテンツＫ３が、原稿の搬送速度と同一のスクロール速度で該画面８３ａの縦方向にスクロール表示されると、画面８３ａ上のコンテンツＫ３又は規制符号Ｄ１が重ねられたコンテンツＫ３が原稿搬送方向（副走査方向Ｙ）に搬送されているような状態となって、画像読取り装置５１により画面８３ａ上のコンテンツＫ３又は規制符号Ｄ１が重ねられたコンテンツＫ３が原稿と同様に読取られ、画像読取り装置５１により読取られたコンテンツＫ３又は規制符号Ｄ１が重ねられたコンテンツＫ３が副走査方向で長くなったり短くなったりしない。また、画面８３ａよりも大きなサイズのコンテンツＫ３又は規制符号Ｄ１が重ねられたコンテンツＫ３を読取ることができる。
【０１３８】
画像形成装置２０では、コンテンツＫ３又は規制符号Ｄ１が重ねられたコンテンツＫ３を示すアナログ画像信号がＣＣＤ５８から出力され、このアナログ画像信号が画像データに変換され、画像データに対する画像処理により、画像データによって示されるコンテンツＫ３又は規制符号Ｄ１が重ねられたコンテンツＫ３が先に入力指示された拡大倍率で拡大され、拡大されたコンテンツＫ３又は規制符号Ｄ１が重ねられたコンテンツＫ３を示す画像データが光走査装置２１に入力され、静電潜像が各感光体ドラム２３に書き込まれ、各感光体ドラム２３の潜像が現像されてそれぞれのトナー像となり、各トナー像が中間転写ベルト３１に重ねて転写されてカラー画像となり、また記録用紙として先に指定された定型サイズＡ４の記録用紙が選択され、中間転写ベルト３１上のカラー画像が定型サイズＡ４の記録用紙に転写され、定着装置２７により定型サイズＡ４の記録用紙上にカラー画像が定着される。これにより、拡大されたコンテンツＫ３又は規制符号Ｄ１が重ねられたコンテンツＫ３が定型サイズＡ４の記録用紙に記録される。例えば、図１２（ｂ）のコンテンツＫ３が拡大されて定型サイズＡ４の記録用紙に記録される。又は、図１３の規制符号Ｄ１が重ねられたコンテンツＫ３が拡大されて定型サイズＡ４の記録用紙に記録される。
【０１３９】
以降、携帯情報端末８１の画面８３ａに複数のコンテンツを順次表示してそれぞれの記録用紙に複写する場合は、ステップＳ３０１〜ステップＳ３０７の処理が繰返される。
【０１４０】
また、画像形成装置２０において、シートスルー方式での読取りと複写を設定した状態で、画像形成装置２０の入力操作部（図示せず）のスタートキーが操作される度に、画像読取り装置５１の光源６１が一定期間だけ点灯して、画像読取り装置５１の読取り動作が繰返される場合は、携帯情報端末８１において、画像読取り装置５１の光源６１が点灯される度に、光源６１の光を光センサ８５で受光し、光センサ８５の受光信号に応答して携帯情報端末８１の画面８３ａのコンテンツを切替え表示し、ステップＳ３０５〜Ｓ３０７を繰返してもよい。これにより、複数のコンテンツをそれぞれの記録用紙に順次記録することができる。
【０１４１】
また、携帯情報端末８１において、画面８３ａ上でコンテンツをその終端までスクロール表示すると、コンテンツの表示を終了すると同時に、コンテンツを消去して、画面８３ａ全体に空白領域を表示しても構わない。
【０１４２】
更に、画像読取り装置５１の光源６１の光を携帯情報端末８１の光センサ８５で受光し、光センサ８５の受光信号の出力時点に基づき画面８３ａ上のスクロール表示の開始タイミングを決定しているが、携帯情報端末８１の操作キーの操作によりスクロール表示の開始タイミングを指示しても構わない。
【０１４３】
このように第２実施形態の携帯情報端末８１では、携帯情報端末８１の画面８３ａを下方に向け、画面８３ａを原稿読取りガラス６５に重ね合わせて、携帯情報端末８１を載置し、画面８３ａのコンテンツを原稿搬送方向（副走査方向Ｙ）にスクロール表示している。また、コンテンツに対応する制御データがメモリ８７に記憶されている場合は、携帯情報端末８１においてコンテンツの複写モードが設定されたときに、画面８３ａに表示されているコンテンツに規制符号を重ね、規制符号が重ねられたコンテンツをスクロール表示している。このため、画像読取り装置５１によりコンテンツ又は規制符号を重ねたコンテンツが読取られ、画像形成装置２０によりコンテンツ又は規制符号を重ねたコンテンツが記録用紙に記録される。従って、画像読取り装置５１もしくは画像形成装置２０に格別の機能を設けなくても、外部装置による画面のコンテンツの読取りや複写等を規制することができる。
【０１４４】
尚、規制符号の代わりに、他の文字、記号、符号等、もしくはそれらを組み合わせて表示したり、読取りもしくは複写禁止を示すエラーメッセージ（文字列）をコンテンツに重ねて表示したり、文字、記号、符号等、もしくはそれらを組み合わせたものをウォータマークにして表示したり、電子ペーパ１の液晶表示部３の画面３ａに表示されているコンテンツを消去したり、あるいはコンテンツの解像度を低くしても構わない。
【０１４５】
次に、携帯情報端末８１の変形例について説明する。第２実施形態では、１種類の画像読取り装置５１もしくは画像形成装置２０が前提となっており、画像読取り装置５１による原稿搬送速度が一定速度であって、携帯情報端末８１の画面８３ａでのスクロール速度がその一定速度に一致させられる。これに対して変形例では、複数種の画像読取り装置５１もしくは画像形成装置２０の利用が前提となっており、画像読取り装置５１もしくは画像形成装置２０の種類により原稿搬送速度が変わることから、携帯情報端末８１の画面８３ａ上のスクロール速度がそれぞれの原稿搬送速度に一致するように変更される。
【０１４６】
例えば、図１４に示すような各種の画像読取り装置５１もしくは画像形成装置２０の識別情報とそれぞれの原稿搬送速度を対応付けたデータテーブル１０１をメモリ８７に予め記憶しておき、各種の画像読取り装置５１もしくは画像形成装置２０の識別情報を画面８３ａに表示し、利用者が画面８３ａ上で識別情報を選択すると、この選択した識別情報に対応する原稿搬送速度をデータテーブル１０１から選択して読取り、この選択した原稿搬送速度と同一となるように携帯情報端末８１の画面８３ａでのスクロール速度を設定する。これにより、画像読取り装置５１もしくは画像形成装置２０の機種が変わっても、携帯情報端末８１の画面８３ａでのスクロール速度を適確に設定することができる。
【０１４７】
また、原稿搬送速度をデータテーブル１０１から選択して読取るだけではなく、利用者が調べた画像読取り装置５１もしくは画像形成装置２０の型番や原稿搬送速度を設定することができるようにしてもよい。
【０１４８】
例えば、制御部８２は、図１５に示すような画像読取り装置５１の原稿搬送速度の任意設定ウィンドウ１１１を画面８３ａに表示する。この任意設定ウィンドウ１１１では、３種類の原稿搬送速度を表示したそれぞれの欄１１２〜１１４、及び画像読取り装置５１もしくは画像形成装置２０の識別情報を記入する欄１１５が表示されている。各原稿搬送速度は、高速、中速、低速であり、多様な画像読取り装置５１の原稿搬送速度を参考にして予め設定されたものである。利用者は、画面８３ａ上で各欄１１２〜１１４のいずれかを指やペン先で選択してから、操作キー８４や画面８３ａ上の操作ボタンの操作により、この選択した欄の原稿搬送速度を指示する。あるいは、画面８３ａ上で各欄１１２〜１１４のいずれかを選択した後に、操作キー８４や画面８３ａ上の操作ボタンの操作により、その選択した欄の原稿搬送速度を任意の値に書き換え修正して指示する。また、利用者は、操作キー８４や画面８３ａ上の操作ボタンの操作により、画像読取り装置５１もしくは画像形成装置２０の識別情報を欄１１５に記入する。これにより、任意の原稿搬送速度を指示することができ、任意の原稿搬送速度と識別情報を対応付けることができる。識別情報は、例えば画像読取り装置５１もしくは画像形成装置２０の型番であってもよいし、利用者が識別できるのであれば、如何なる文字列、符号等であっても構わない。
【０１４９】
こうして任意設定ウィンドウ１１１上で原稿搬送速度と識別情報が設定されて指示されると、制御部８２は、これらの原稿搬送速度と識別情報をデータテーブル１０１に新たに記録して、データテーブル１０１を更新する。これにより、新たに記録された原稿搬送速度と識別情報が画面８３ａに表示されて選択指示の対象となる。
【０１５０】
尚、本発明は、その精神または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【符号の説明】
【０１５１】
１  電子ペーパ（携帯型電子装置）
２  制御部
３  液晶表示部
４  メモリ
５  操作部
６  通信部
７  方向センサ（画面方向検出部）
８  電磁波ノイズセンサ（読取り動作検出部）
９  振動センサ（読取り動作検出部）
１０  光センサ（読取り動作検出部）
１１  表面圧力センサ（読取り動作検出部）
１２  背面圧力センサ（読取り動作検出部）
２０  画像形成装置（外部装置）
５１  画像読取り装置（外部装置）
８１  携帯情報端末（携帯型電子装置）
８２  制御部
８３  液晶表示部
８４  操作キー
８５  光センサ
８６  操作部（読取り動作検出部）
８７  メモリ
８８  通信部
８９  方向センサ（画面方向検出部）
【図１】
2012150225.tif 000003
【図２】
2012150225.tif 000004
【図３】
2012150225.tif 000005
【図４】
2012150225.tif 000006
【図５】
2012150225.tif 000007
【図６】
2012150225.tif 000008
【図７】
2012150225.tif 000009
【図８】
2012150225.tif 000010
【図９】
2012150225.tif 000011
【図１０】
2012150225.tif 000012
【図１１】
2012150225.tif 000013
【図１２】
2012150225.tif 000014
【図１３】
2012150225.tif 000015
【図１４】
2012150225.tif 000016
【図１５】
2012150225.tif 000017